(57)【要約】  ２つの側壁（２）とこれらの側壁（２）の前方端部（２ａ）に固定されたパネル（１）とを備える引き出しであって、パネルはこの引き出しに対して少なくとも垂直な方向に調節することができ、２つの固締プレート（３）が、側壁（２）の正反対の位置にある内面における遮蔽体（１）へ取り付けられ、それぞれのプレートに、側壁（２）の前方凹所（２ｂ）に係合する高さ調節用偏心部（５）が備わっている引き出し。側壁（２）のスラストベアリング（１０）に係合する締付用レバー（９）と締付用レバー（９）を作動させる折り畳み式レバー（７）とを備えるトグルが、パネル（１）を側壁（２）の前面（２ａ）における遮蔽体（１）に固定するためにそれぞれの固締プレート（３）に接続されている。【選択図】  図１
2008528149.tif 000002
【特許請求の範囲】
【請求項１】
２つの側壁（２）と、これらの側壁（２）の前方端部（２ａ）に固定されたパネル（１）とを有する引き出しであって、前記パネルが当該引き出しに対して少なくとも垂直な方向に調節することができるようになっている、引き出しにおいて、
２つの固締プレート（３）が、側壁（２）の正反対の位置にある内面におけるパネル（１）へ取り付けられ、それぞれのプレートが、側壁（２）の前方凹所（２ｂ）に係合する高さ調節用偏心部（５）と、側壁（２）のスラストベアリング（１０）に係合する締付用レバー（９）および締付用レバー（９）を作動させる折り畳み式レバー（７）を備えるトグルとを備え、前記トグルが、パネル（１）を側壁（２）の前面（２ａ）に固定するためにそれぞれの固締プレート（３）に取り付けられていることを特徴とする引き出し。
【請求項２】
折り畳み式レバー（７）が、プレート状として実施され、かつ、トグルが締め付けられたときに締付用レバー（９）と高さ調節用偏心部（５）との両方を覆うことを特徴とする、請求項１に記載の引き出し。
【請求項３】
折り畳み式レバー（７）が、固締プレート（３）へ関節状に接続されていることを特徴とする、請求項１または２に記載の引き出し。
【請求項４】
それぞれの固締プレート（３）が、側壁（２）に対して平行に延びていて高さ調節用偏心部（５）がリベット留めされている一方でその回転が維持され、加えて、ベアリングブラケット（６ａ）が成形され、折り畳み式レバー（７）のさらに別のベアリングブラケット（６ｂ）が割り当てられた脚部（４）を有しており、２つのベアリングブラケット（６ａ）および（６ｂ）が、ベアリングピン（８）によって互いに枢動可能に接続されていることを特徴とする、請求項１〜３のいずれか一項に記載の引き出し。
【請求項５】
締付用レバー（９）が、弓状として実施されており、かつ、整合した２つのベアリングピン（９ａ）を備え、２つのベアリングピン（９ａ）が、折り畳み式レバーの互いに平行に延びるフランジ（７ａ）の互いに整合した対応穴（７ｂ）に係合することを特徴とする、請求項１〜４のいずれか一項に記載の引き出し。
【請求項６】
特定の締付用レバー（９）のためのスラストベアリング（１０）が、パネル（１）に対向しており側壁（２）の内部における開口（１１）の境界によって形成されていることを特徴とする、請求項１〜５のいずれか一項に記載の引き出し。
【請求項７】
側壁（２）のそれぞれの凹所（２ｂ）が、前面（２ａ）へ向かって段状に広がっており、これらの段状部分の間における移行区域に、高さ調節用偏心部（５）を凹所（２ｂ）のより狭い後方区域の中へより容易に挿入するための接近用傾斜面（２ｃ）が設けられていることを特徴とする、請求項１〜６のいずれか一項に記載の引き出し。
【請求項８】
脚部（４）および／または折り畳み式レバー（７）を有する固締プレート（３）が、型打ち曲げ部品として実施されていることを特徴とする、請求項１〜７のいずれか一項に記載の引き出し。
【請求項９】
脚部（４）および／または折り畳み式レバー（７）を有する固締プレート（３）が、射出成形部品として実施されていることを特徴とする、請求項１〜６のいずれか一項に記載の引き出し。
【請求項１０】
固締プレート（３）に、固締プレート（３）をパネル（１）に固定する目的のために固締ねじによって案内するための水平に延びる楕円穴（３ａ）が設けられていることを特徴とする、請求項１〜９のいずれか一項に記載の引き出し。
【請求項１１】
高さ調節用偏心部（５）が、側壁（２）の凹所（２ｂ）の内側で遊びのないように保持されていることを特徴とする、請求項１〜１０のいずれか一項に記載の引き出し。
【請求項１２】
締付用レバー（９）が、弓状として実施されており、かつ、側壁（２）のスラストベアリング（１０）の背面に係合するためのフック状屈曲部（９ｂ）を有することを特徴とする、請求項１〜１０のいずれか一項に記載の引き出し。
【請求項１３】
締付用レバー（９）に作用するばね手段が設けられ、該ばね手段が、締付用レバー（９）を固締プレート（３）の脚部（４）に対して永久に押し付けることを特徴とする、請求項１〜１２のいずれか一項に記載の引き出し。
【請求項１４】
折り畳み式レバー（７）と側壁（２）との間に、あるいは折り畳み式レバー（７）と固締プレート（３）との間に作用する捕捉手段が設けられ、該捕捉手段が折り畳み式レバー（７）をその締付位置にロックすることを特徴とする、請求項１〜１３のいずれか一項に記載の引き出し。
【発明の詳細な説明】
【技術分野】
【０００１】
本発明は、引き出しに関するものであって、２つの側壁と、これらの側壁の前方端部に固定され、この引き出しに対して少なくとも垂直な方向に調節することのできるパネルとを有する引き出しに関するものである。
【背景技術】
【０００２】
上記の型の引き出しはそれ自体知られており、パネルを引き出しにかつ／または引き出しの側壁の前方端部に固定するという目的の達成のための多くの型が、それらのいくつかは極めて複雑であるものの、知られている。
【発明の開示】
【発明が解決しようとする課題】
【０００３】
本発明は、パネルを引き出しに固定しかつ調節するための、とりわけ簡単で費用効果の高い構成を表示するという目的に基づいている。
【課題を解決するための手段】
【０００４】
この目的は、２つの固締プレートが、側壁の正反対の位置にある内面におけるパネルへ取り付けられ、それぞれのプレートは、側壁の前方凹所に係合する高さ調節用偏心部と、側壁のスラストベアリングに係合する締付用レバーおよび締付用レバーを作動させる折り畳み式レバーを備えるトグルとを備え、前記トグルが、パネルを側壁の前面に固定するためにそれぞれの固締プレートに取り付けられている点で、本発明によって達成される。
【０００５】
この型の構成の利点は、遮蔽体を側壁の前面へ固締するための手段が、製造するのに高価でなく、また、トグル構成であることから組み立てるのにさらに容易で費用効果が高い部品を備え、これがまたパネルの垂直調節のために必要な手段に適用されることである。後者の手段は、それぞれの場合には単に高さ調節用偏心部であり、これは側壁の前方凹所に係合する。
【０００６】
パネルを側壁へ固締するための手段と、引き出しに対するパネルのあり得る高さ調節のための手段との両方とも、パネルに完全に事前取り付けすることができる。加えて、引き出しへのその接続の目的のために、パネルはまず、事前取り付け位置において側壁の前方端部に載せられ、高さ調節用偏心部は、この事前取り付け位置において側壁の前方凹所に係合する。その後、折り畳み式レバーがまだ作動していない状態で、締付用レバーは、前記の締付用レバーが側壁におけるスラストベアリングの背面に係合する位置に至ることができる。必要になる任意の高さ調節が、高さ調節用偏心部を作動させることで行われた後に、折り畳み式レバーは、パネルが締付用レバーによって側壁の前面にしっかりと固定され、かつ、側壁の前面に固定されるように、作動することができる。
【０００７】
この型の取り付けは、技術的にほとんど習熟していない人々によっても行うことができ、また、高さ調節用偏心部を作動させるためにはねじ回しだけが必要であり、この型の工具は実際にはすべての家庭に存在していると思われる。
【０００８】
本発明のさらに別の実施態様によれば、それぞれの折り畳み式レバーは、ほぼプレート形状として実施されており、また、トグルが締め付けられると、締付用レバーおよび高さ調節用偏心部の両方とを覆う。
【０００９】
パネルが最終的に引き出しに固定されると、全体構成の、外見的に清浄で実際的に閉鎖状の全体的印象がこのように生じる。
【００１０】
本発明のさらに別の特徴構成は、さらに別の従属請求項の主題である。
【００１１】
本発明の代表的な実施態様は、添付図面に図示されており、以下において詳しく説明する。
【発明を実施するための最良の形態】
【００１２】
明瞭さの理由のために、添付図面には完全な引き出しが省略されているが、それは本発明の範囲には、引き出しの側壁２に固定されて少なくとも垂直方向に調節することのできるパネル１を使用するにはそれらの手段だけで充分であるからである。
【００１３】
固締プレート３は、側壁２の正反対の位置の内側における前記パネル１にねじ留めされ（引き出しは明らかに、互いに平行に延びるこの型の２つの側壁を有する）、固締プレート３には、この目的のために固締ねじが案内される楕円穴３ａが設けられている。楕円穴３ａが存在しているので、パネル１を引き出しに対して水平に調節することはさらに可能である。
【００１４】
それぞれの固締プレート３には、側壁２に対して平行に延びる脚部４がある。高さ調節用偏心部５は、この高さ調節用偏心部５が脚部４に対してなお回転することができるように、この脚部４へリベット留めされている。
【００１５】
加えて、前記脚部４には、第１ベアリングブラケット６ａが固締されているが、リベット留めされるのが好ましい。さらに別のベアリングブラケット６ｂが、折り畳み式レバー７へ永久的に接続されているが、これもリベット留めされるのが好ましい。
【００１６】
２つのベアリングブラケット６ａおよび６ｂが、ベアリングピン８によって互いに枢動可能に接続されている。
【００１７】
折り畳み式レバー７には、正反対の位置に側面脚部７ａが設けられており、これらには、互いに整合する２つの穴７ｂが設けられている。
【００１８】
ベアリングピンとして実施され、参照符号９で全体が設けられた締付用レバーの適切に方位付けされた端部９ａが、これらの穴７ｂに係合している。この締付用レバー９は、示された代表的実施態様における弓のように実施される。その端部では、ベアリングピンとして実施された端部９ａからそれて、弓状の締付用レバー９には、とりわけ図７に明瞭に示されたフック状屈曲部９ｂが設けられている。
【００１９】
図７には、継手ピン８の枢軸とベアリングピンとして実施された締付用レバー９の端部９ａの枢軸との間に空間が設けられている、ということがまた、極めて明瞭に示されている。
【００２０】
図７にさらに示されているように、締付用レバー９のフック状屈曲部９ｂは側壁２の区域におけるスラストベアリング１０の背面に係合しており、このスラストベアリング１０は、側壁２において開口１１の、パネル１へ対向している境界によって示された代表的実施態様に形成されている。
【００２１】
図２には、それぞれの側壁２が固締プレート３の正反対の位置にあるその前面２ａの区域に設けられ、従って、パネル１の正反対の位置に、前面２ａへ向かって開放した凹所２ｂが設けられている、ということが明瞭に示されている。この凹所２ｂは前面２ａへ向かって段状に広がっており、また、接近用傾斜面２ｃが、凹所２ｂの残りの後方部分において前方パネル２ａに対向しているより大きい部分の間における移行区域に形成されている。
【００２２】
この概念を通して、固締プレート３の脚部４へリベット留めされた高さ調節用偏心部５を凹所２ｂの後方区域の中へ容易にかつ気持ちよく挿入することができる。凹所２ｂの後方区域にとっては、この区域によって受け入れられた高さ調節用偏心部５の部分に対して極めて狭い公差があり、それによって、ここで起こり得るような高さの遊びがほとんどないのが好ましい。
【００２３】
パネル１が、側壁２の前方端部２ａに対して配置された折り畳み式レバー７とともに高さ調節用偏心部５と締付用レバー９とを有する−締付用偏心部５が凹所２ｂの区域に係合している−前記固締プレート３を有した後に、引き出しに対するパネル１の事前取り付け状況および／または予備的固定の型も設けられる。この状況は図３から生じる。
【００２４】
次いで、さらに別の取り付けステップにおいて、締付用レバー９のフック状屈曲部９ｂが、側壁２における特定の開口１１の中へ手で挿入される。この取り付け位置は図４に示されている。この位置まで駆り立てられた取り付け用シーケンスのすべてにおいて、折り畳み式レバー７は側壁２から離れてなお明瞭に折り畳まれる。
【００２５】
ばね手段（図示略）が締付用レバー９に作用して締付用レバー９を脚部４に永久的に押し付けるように作用することによって、開口１１の中への手によるフック状屈曲部９ｂの挿入もまた省略することができるが、その理由は、この事例では、固締プレート３が前記のように側壁２の上に配置されたときに、屈曲部９ｂが開口１１に自動的に係合するからである。
【００２６】
特定の高さ調節用偏心部５はまた、なおアクセス可能であり、従って、必要であれば回転して、適切な工具の助けを借りてパネル１の高さを調節することができる。
【００２７】
パネル１が正確に方位付けられると、２つの折り畳み式レバー７が、正反対の位置にある側壁２に対して枢動される。次いで、パネル１は、側壁２の前方端部に対してしっかりと固定され、また、次いで、パネル１は引き出しに対しても確実に固定される。
【００２８】
折り畳み式レバー７と締付用レバー９とによってトグルが事実上形成されるが、その構成および機能は技術の多くの分野において大筋で知られている。
【００２９】
図７に示されたように、固定位置において、締付用レバー９はその死点をわずかに越えて枢動し、それによって、折り畳み式レバー７および／または締付用レバー９の自動的な開放が防止される。加えて、折り畳み式レバー７と固締プレート３あるいは側壁２との間で作用する捕捉手段（図示略）もまた設けることができ、これは、望ましくないゆるみ、すなわち折り畳み式レバー７の開きを遅らせるかあるいは妨げる。
【００３０】
パネル１を引き出しへかつ／または引き出しの側壁２の前方端部２ａへ締め付けるための手段には、図で示されたように、製造するのに高価でない簡単な諸構成要素が備わっている。これらの構成要素がパネル１に事前取り付けされた後に、このパネル１は、技術的に習熟していない人々であっても引き出しに容易にかつ気持ちよく固定することができる。必要な任意の取り外しもまた、容易にかつ簡単に行うことができる。
【００３１】
図示されかつ説明された代表的実施態様からのさらに別の変更も可能である。ベアリングブラケット６ａおよび６ｂをタブ４および／または折り畳み式レバー７と一体片に製造することもできる、ということはすでに言及した。
【００３２】
締付用レバー９を弓形状に形成するのではなく平坦な材料から形成し、ベアリングピンを折り畳み式レバー７のタブ７ａの対応穴７ｂに係合するように単に設けなければならない、ということも考えられる。
【００３３】
前記の諸構成要素は射出成形部品として実施することもできる。
【００３４】
それぞれの側壁２におけるスラストベアリング１０は側壁２の外側に直立している実質的部分によって形成することもできる。この型の事例においては、締付用レバー９のフック状屈曲部９ｂが、そのときにある種の環境の下で適切に適合される。
【００３５】
先の記述によると、基本的な構成原理を変更することなく、示された代表的実施態様からの多種多様な変更が可能である。
【００３６】
いずれかの場合において、折り畳み式レバー７は、プレート状として実施するのが好ましく、また、トグルが締め付けられたときにこの折り畳み式レバーが締付用レバー９と高さ調節用偏心部５との両方を覆い、それによって、パネル１が固締されたときに、図５および図６から明らかなように、側壁２の外側区域に閉鎖状くぼみがもたらされるような充分に大きい寸法であるのが好ましい。
【図面の簡単な説明】
【００３７】
【図１】引き出しの側壁の前面にパネルを取り付けるための装置の分解斜視図を示している。
【図２】引き出しの側壁に配置される前の、図１から組み立てられた装置の斜視図を示している。
【図３】図１および図２に示された装置が引き出しの側壁に配置された後の斜視図を示している。
【図４】さらに別の取り付け中間位置における、基本的に図３に対応している斜視図を示している。
【図５】この装置が側壁に最終的に固定された後の、図３および図４に対応している斜視図を示している。
【図６】図５における矢印VIの方向における、より小さい縮尺の部分図を示している。
【図７】図６におけるVII-VII線に沿った、図６よりも大きい縮尺で図示された部分図を示している。
【図１】
2008528149.tif 000003
【図２】
2008528149.tif 000004
【図３】
2008528149.tif 000005
【図４】
2008528149.tif 000006
【図５】
2008528149.tif 000007
【図６】
2008528149.tif 000008
【図７】
2008528149.tif 000009
【国際調査報告】
2008528149.tif 000010
2008528149.tif 000011
2008528149.tif 000012
2008528149.tif 000013